(57)【要約】【課題】照明器具の取り付け位置を容易に把握できる照明制御装置を提供する。【解決手段】実施形態に係る照明制御装置１は、操作卓２と、複数の照明用バトン３と、複数の照明器具６とを有する。複数の照明器具６のそれぞれは、固有の識別情報を通信端子を介して出力する。複数の照明用バトン３のそれぞれは、通信部１２と、照明器具６に設けられた通信端子と１対１で接続される複数の通信端子１６と、複数の通信端子のいずれか１つを有効とし、他の通信端子を無効とする制御を複数の通信端子１６に順次実行する複数の通信制御部１５と、照明器具６から出力される固有の識別情報を受信して照明器具６の設置位置情報を収集し、収集した照明器具６の設置位置情報を、通信部１２を介して操作卓２に送信する制御部１１と、を有する。操作卓２は、照明器具６の設置位置情報を表示する表示部２ｄを有する。【選択図】図２
2014216251.tif 000002
【特許請求の範囲】
【請求項１】
制御装置と、前記制御装置と所定の通信プロトコルで通信する複数の照明用バトンと、前記複数の照明用バトンのそれぞれに設けられ、それぞれ異なる固有の識別情報を有する複数の照明器具とからなる照明制御装置であって、
前記複数の照明器具のそれぞれは、制御信号を受信すると、前記固有の識別情報を通信端子を介して出力し、
前記複数の照明用バトンのそれぞれは、前記所定の通信プロトコルで前記制御装置と通信するための通信部と、前記複数の照明器具のそれぞれに設けられた前記通信端子と１対１で接続される複数の通信端子と、前記複数の通信端子と１対１で接続され、前記複数の通信端子のいずれか１つを有効とし、他の通信端子を無効とする制御を前記複数の通信端子に順次実行する複数の通信制御部と、前記有効とされた通信端子に接続された照明器具に前記制御信号を送信し、前記照明器具から出力される前記固有の識別情報を受信して前記照明器具の設置位置情報を収集し、収集した前記照明器具の設置位置情報を、前記通信部を介して前記制御装置に送信する制御部と、を有し、
前記制御装置は、前記複数の照明用バトンから送信された前記照明器具の設置位置情報を表示する表示部を有することを特徴とする照明制御装置。
【請求項２】
前記照明用バトンのそれぞれが設置される設置位置情報を設定する設置位置情報設定部をさらに有することを特徴とする請求項１に記載の照明制御装置。
【発明の詳細な説明】
【技術分野】
【０００１】
本発明の実施形態は、照明制御装置に関する。
【背景技術】
【０００２】
従来より、劇場、舞台、スタジオなどの照明システムにおいて、複数の照明器具を設置する照明用バトンが用いられている。例えば、照明用バトンは、スポットライトなどの照明器具が複数接続され、天井などから吊されて用いられる。各バトンの各照明器具は、シーンなどに応じて、調光制御される。
【０００３】
舞台などでは、演目やイベント等に応じて、用いられる照明器具やその設置位置が異なることは、通例である。そのため、照明器具を制御する照明システムは、演目などの変更の度に、照明器具の設置変更が行われる。  
一方、調光を制御する調光卓では、その設置変更の度に、各照明器具と調光用フェーダなどの操作器との対応付けが行われる。
【０００４】
各照明器具が直接接続され各照明器具に電源を供給する調光制御盤を介して、調光卓と複数の照明用バトンが接続される構成の場合、調光卓における各照明器具と各操作器との対応関係は、比較的容易に把握でき、その対応付けも容易に設定できる。
【０００５】
ところが、通信ラインを介して調光卓と複数の照明用バトンが接続され、調光信号が通信ラインを介して送信される構成の場合、各照明器具の種類と各照明用バトンにおける各照明器具の設置位置の把握は簡単にはできず、操作卓における各照明器具と各操作器との対応付けの設定が容易にできないという問題がある。
【０００６】
各照明器具の種類と設置位置の把握をするために、RFIDタグなどの情報チップを利用して、バトンに接続される照明器具を認識させるようにして、照明器具の設置変更の状態を容易に把握できるシステムが提案されている。その場合、全ての照明器具に情報チップが付設され、全てのバトンには、情報チップ読取装置が取り付けられる。
【０００７】
しかし、そのようなシステムの場合、全ての照明器具にそのような情報チップを付設することに加えて、全ての情報チップへ必要な情報の書き込みを行う作業も発生するため、準備作業に多くの手間が掛かるという問題がある。
【先行技術文献】
【特許文献】
【０００８】
【特許文献１】特開２００７−６６５８５号公報
【発明の概要】
【発明が解決しようとする課題】
【０００９】
そこで、本実施形態は、照明器具の取り付け位置を容易に把握できる照明制御装置を提供することを目的とする。
【課題を解決するための手段】
【００１０】
実施形態に係る照明制御装置は、制御装置と、前記制御装置と所定の通信プロトコルで通信する複数の照明用バトンと、前記複数の照明用バトンのそれぞれに設けられ、それぞれ異なる固有の識別情報を有する複数の照明器具とからなる照明制御装置であって、前記複数の照明器具のそれぞれは、制御信号を受信すると、前記固有の識別情報を通信端子を介して出力し、前記複数の照明用バトンのそれぞれは、前記所定の通信プロトコルで前記制御装置と通信するための通信部と、前記複数の照明器具のそれぞれに設けられた前記通信端子と１対１で接続される複数の通信端子と、前記複数の通信端子と１対１で接続され、前記複数の通信端子のいずれか１つを有効とし、他の通信端子を無効とする制御を前記複数の通信端子に順次実行する複数の通信制御部と、前記有効とされた通信端子に接続された照明器具に前記制御信号を送信し、前記照明器具から出力される前記固有の識別情報を受信して前記照明器具の設置位置情報を収集し、収集した前記照明器具の設置位置情報を、前記通信部を介して前記制御装置に送信する制御部と、を有し、前記制御装置は、前記複数の照明用バトンから送信された前記照明器具の設置位置情報を表示する表示部を有する。
【発明の効果】
【００１１】
実施形態によれば、照明器具の取り付け位置を容易に把握できる照明制御装置を提供することができる。
【図面の簡単な説明】
【００１２】
【図１】本実施の形態に係る照明制御装置の構成を示す図である。
【図２】バトン３の構成を示すブロック図である。
【図３】バトン３が設置される舞台の例を説明するための図である。
【図４】操作卓２の記憶部２ｂに記憶される照明器具情報テーブルTBLの例を示す図である。
【図５】操作卓２の表示部２ｄの画面上に表示される舞台上の照明器具配置を示す画面の例を示す図である。
【発明を実施するための形態】
【００１３】
実施形態に係る照明制御装置は、制御装置と、制御装置と所定の通信プロトコルで通信する複数の照明用バトンと、複数の照明用バトンのそれぞれに設けられ、それぞれ異なる固有の識別情報を有する複数の照明器具とからなる照明制御装置であって、複数の照明器具のそれぞれは、制御信号を受信すると、固有の識別情報を通信端子を介して出力し、複数の照明用バトンのそれぞれは、所定の通信プロトコルで制御装置と通信するための通信部と、複数の照明器具のそれぞれに設けられた通信端子と１対１で接続される複数の通信端子と、複数の通信端子と１対１で接続され、複数の通信端子のいずれか１つを有効とし、他の通信端子を無効とする制御を複数の通信端子に順次実行する複数の通信制御部と、有効とされた通信端子に接続された照明器具に制御信号を送信し、照明器具から出力される固有の識別情報を受信して照明器具の設置位置情報を収集し、収集した照明器具の設置位置情報を、通信部を介して制御装置に送信する制御部と、を有し、制御装置は、複数の照明用バトンから送信された照明器具の設置位置情報を表示する表示部を有する。
【００１４】
このような構成によれば、個々の照明器具（あるいは調光器）がどの位置に設置されているかを操作者に認識及び表示することができる。
【００１５】
以下、図面を参照して本発明の実施の形態について詳細に説明する。
【００１６】
（構成）
まず、図１に基づき、本発明の実施の形態に係る照明制御装置の構成について説明する。図１は、本実施の形態に係る照明制御装置の構成を示す図である。
【００１７】
図１に示すように、照明制御装置１は、制御装置としての操作卓２と、複数の照明用バトン３を含み、操作卓２と複数の照明用バトン３は、ハブ４を介して通信ライン５により接続されている。各照明用バトン３は、複数の照明器具６が取り付け可能となっている。照明器具６は、ここでは発光ダイオード（LED）を利用した照明器具である。もちろん、照明器具６は、他の光源を利用した照明器具であってもよい。
【００１８】
操作卓２と各照明用バトン（以下、単にバトンという）３とは、通信ライン５を介して例えばイーサネット（登録商標）の通信プロトコルで互いに通信可能となっている。そのため、操作卓２は、各バトン３のアドレス情報（バトン設置位置情報）を有している。通信ライン５は、操作卓２と各バトン３間のデータ通信のためのラインである。なお、各バトン３の各照明器具６への電源の供給は、図示しない電源線により供給されている。
【００１９】
操作卓２は、中央処理装置（以下、CPUという）を含む制御部２ａと、各種データを記憶する記憶部２ｂと、各種設定及び調光操作を入力するための入力部２ｃ、モニタである表示部２ｄを有している。操作卓２は、各照明器具６の調光を行うために、入力部２ｃの一部としてフェーダなどの調光操作器を有し、操作者は、任意の照明器具６の調光を手動で制御することができる。さらに、操作卓２は、予めプログラムされた順序で、シーンに応じて自動で各照明器具６へ調光信号を送信することもできる。
【００２０】
ここでは、説明を簡単にするために、各バトン３は、４つの照明器具が所定の位置に取り付け可能に構成されているものとする。  
複数のバトン３が舞台などに設置され、調整室などに操作卓２が設置され、照明制御装置１は、舞台照明制御が可能に構成されている。
【００２１】
次に、バトン３の構成について説明する。図２は、バトン３の構成を示すブロック図である。  
バトン３は、複数の照明器具６を接続して設置する照明器具設置装置である。従って、バトン３の概念は、広く、形状、寸法等は、従来のバトンに捉われるものではない。  
バトン３は、複数（ここでは４つ）の照明器具６ａ、６ｂ、６ｃ、６ｄ（以下、照明器具６ａ、６ｂ、６ｃ、６ｄの全てあるいは１つを指すときには、照明器具６という）が接続可能なコネクタ１０ａ、１０ｂ、１０ｃ、１０ｄ（以下、コネクタ１０ａ、１０ｂ、１０ｃ、１０ｄの全てあるいは１つを指すときには、コネクタ１０という）を有している。各バトン３における各コネクタ１０の接続位置すなわち設置位置は予め決められている。各コネクタ１０は、照明器具６が接続される接続部を構成する。
【００２２】
また、バトン３は、制御部１１、通信部１２、設置位置情報設定スイッチ１３、メモリ１４、複数（ここでは４つ）の通信制御部１５ａ、１５ｂ、１５ｃ、１５ｄ（以下、通信制御部１５ａ、１５ｂ、１５ｃ、１５ｄの全てあるいは１つを指すときには、通信制御部１５という）、複数（ここでは４つ）の通信端子１６ａ、１６ｂ、１６ｃ、１６ｄ（以下、通信端子１６ａ、１６ｂ、１６ｃ、１６ｄの全てあるいは１つを指すときには、通信端子１６という）、を有して構成されている。
【００２３】
制御部１１は、CPUを含み、バトン３の全体の制御と、後述するような各照明器具６の識別情報を取得する機能を実行する処理部である。  
通信部１２は、通信ネットワークを構成する通信ライン５を介して、外部装置である操作卓２と通信を行うために、イーサネット（登録商標）プロトコルによる通信処理を実行する処理部である。すなわち、通信部１２は、所定の通信プロトコルで外部装置と通信するための通信部である。
【００２４】
設置位置情報設定部としての設置位置情報設定スイッチ１３は、後述するように、舞台等にバトン３が設置されるバトン設置位置を入力するための入力部である。
【００２５】
メモリ１４は、バトン３に接続された各照明器具６の固有の識別情報としてのUID、設置位置情報Ｂを記憶する記憶部である。
【００２６】
通信制御部１５ａ〜１５ｄは、それぞれ通信端子１６ａ〜１６ｄに１対１で接続されており、制御部１１からの制御に基づき、通信端子１６ａ〜１６ｄのいずれか１つを有効にし、それ以外を無効とする。例えば、通信制御部１５ａが通信端子１６ａを有効としている場合、通信制御部１５ｂ〜１５ｄは、通信端子１６ｂ〜１６ｄを無効（例えば、通信端子１６ｂ〜１６ｄをハイインピーダンス状態）にする。そして、通信制御部１５ａは、有効になっている通信端子１６ａに１対１で接続されている通信端子７ａの調光器８と通信し、調光信号等の制御信号を出力する。
【００２７】
各照明器具６ａ、６ｂ、６ｃ、６ｄは、それぞれ通信端子７ａ、７ｂ、７ｃ、７ｄを有している。また、各照明器具６は、調光器８及び不揮発性のメモリ９を有し、メモリ９は、照明器具６の各種仕様情報を記憶する記憶部９ａと、照明器具６の固有の識別情報であるUIDを記憶する記憶部９ｂを含んでいる。なお、照明器具６は、メモリ９を有していないものであってもよい。この場合、固有の識別情報はディップスイッチ、ロータリースイッチ等で設定することができる。各種仕様情報は、種類、出力ワット数などの器具情報を含む。なお、記憶部９ｂが記憶するUIDは、照明器具６の固有の識別情報に限定されるものではなく、例えば、調光器８の固有の識別情報であってもよい。また、照明器具６は、調光器８を有するLED等の照明器具であるが、これに限定されることなく、例えば、可搬型の調光器にハロゲンランプ等の照明器具が接続される構成であってもよい。
【００２８】
有効となっている通信端子１６ａに接続されている調光器８は、調光信号等の制御信号を受信すると、制御信号に応じて、照明器具６ａの点・消灯、調光・調色、姿勢制御等を行うと共に、通信端子７ａ、通信端子１６ａを介して通信制御部１５ａに応答信号を出力する。応答信号は、照明器具６ａ（あるいは調光器８）のUID、照明器具６の各種仕様情報、及び、アラーム情報である。このアラーム情報は、例えば、照明器具６ａの漏電、ランプ切れ、温度が上昇しすぎている等の情報である。
【００２９】
通信制御部１５ａは、入力された応答信号を制御部１１に出力する。これにより、制御部１１は、有効となった通信端子１６ａに接続されている照明器具６ａの識別情報であるUID、各種仕様情報及びアラーム情報を収集する。このとき、制御部１１は、バトン３において有効となっている通信端子１６ａは１つであるため、照明器具６ａの設置位置も取得することができる。そして、制御部１１は、これらの情報を収集すると、通信端子１６ａを無効にし、次に別の通信端子、すなわち、通信端子１６ｂ〜１６ｄのいずれか１つを有効にし、上述した情報を収集する。制御部１１は、通信端子１６ａ〜１６ｄに対して、このような制御を順次実施することで、接続されている照明器具６ａ〜６ｄの識別情報であるUID、各種仕様情報及びアラーム情報を収集する。
【００３０】
制御部１１は、収集した情報に設置位置情報設定スイッチ１３で設定されたバトン３の設置位置情報を関連付けて、通信部１２を介して操作卓２に出力する。
【００３１】
操作卓２は、各バトン３から出力される情報を収集し、各バトン３の設置位置、及び、各バトン３に接続されている照明器具６の設置位置の情報を、記憶部２ｂに記憶する、あるいは、表示部２ｄに表示する。また、操作卓２は、入力されるアラーム情報を解析し、設置されている照明器具６に不具合が発生していることを検出した場合、不具合が発生している照明器具の位置や不具合情報（漏電等）を表示部２ｄに表示する。
【００３２】
（動作）
次に、操作卓２が各バトン３から照明器具６の器具情報、設置位置情報などを自動で取得する方法について説明する。
【００３３】
図３は、バトン３が設置される舞台の例を説明するための図である。
【００３４】
舞台２１には、各バトン３を設置するための複数のバトン設置位置Ｐ１、Ｐ２、Ｐ３、・・・、が設けられている。なお、以下の説明では、バトン設置位置Ｐ１、Ｐ２、Ｐ３、・・・、の全てあるいは１つを指すときには、バトン設置位置Ｐという。ユーザは、舞台２１のバトン設置位置Ｐに各バトン３を設置し、各バトン３のそれぞれに複数の照明器具６を設置する。図３の例では、バトン設置位置Ｐ１、Ｐ２、Ｐ３にそれぞれバトン３ａ、３ｂ、３ｃが設置されている。ユーザは、各バトン３の設置位置情報設定スイッチ１３に用いて、各バトン３のバトン設置位置Ｐの情報を設定する。すなわち、バトン３ａであれば、バトン設置位置Ｐ１の情報を設定することになる。
【００３５】
このように各バトン３がバトン設置位置Ｐに設置されると、操作卓２は、ハブ４を介して各バトン３と通信し、調光信号等を含む制御信号を各バトン３に送信する。各バトン３の通信部１２は、調光信号等を含む制御信号を受信すると、制御部１１に制御信号を出力する。
【００３６】
制御部１１は、操作卓２からの制御信号を受信すると、制御信号に加え、通信を有効または無効にするための通信制御信号を通信制御部１５ａ〜１５ｄに出力する。この通信制御信号は、各バトン３に設けられている通信端子１６ａ〜１６ｄのいずれか１つを有効とし、その他を無効とするための信号である。
【００３７】
通信制御部１５ａ〜１５ｄは、制御部１１からの通信制御信号に基づいて通信端子１６ａ〜１６ｄを有効または無効にする。ここでは、通信端子１６ａが有効であり、他の通信端子１６ｂ〜１６ｄが無効であるものとして説明する。通信制御部１５ａは、通信端子１６ａを有効にすると、調光信号等を含む制御信号を照明器具６ａの通信端子７ａを介して調光器８に出力する。
【００３８】
調光器８は、調光信号等を含む制御信号が入力されると、調光信号に応じて照明器具６ａを調光すると共に、応答信号を通信端子７ａ、通信端子１６ａを介して通信制御部１５ａに出力する。この応答信号は、記憶部９ａに記憶されている照明器具６の各種仕様情報、記憶部９ｂに記憶されている照明器具６の固有の識別情報であるUID、及び、アラーム情報を含んでいる。これらの情報は、制御部１１に出力され、制御部１１の制御によりメモリ１４に記憶される。これにより、現在有効となっている通信端子１６ａに接続されている照明器具６ａの識別情報であるUID等を取得することができ、さらに、バトン３において有効となっている通信端子１６ａは１つであるため、照明器具６ａの設置位置（照明器具設置位置情報）も取得することができる。
【００３９】
制御部１１は、通信端子１６ｂ〜１６ｄに対しても同様の制御を行うことで、通信端子１６ｂ〜１６ｄに接続されている照明器具６ｂ〜６ｄの識別情報であるUID等を取得する。制御部１１は、このように取得した照明器具６ａ〜６ｄのUID等に設置位置情報設定スイッチ１３に用いて設定されたバトン設置位置Ｐ１の情報を関連付け、通信部１２を介して操作卓２に出力する。
【００４０】
操作卓２は、各バトン３から入力されたUID、器具情報、バトン設置位置情報、照明器具設置位置情報にバトン番号を関連付けて、照明器具情報テーブルTBLとして記憶部２ｂに記憶する。
【００４１】
図４は、操作卓２の記憶部２ｂに記憶される照明器具情報テーブルTBLの例を示す図である。照明器具情報テーブルTBLは、UID、器具情報、バトン番号、バトン設置位置情報及び照明器具設置位置情報の各情報を記憶する。
【００４２】
照明器具情報テーブルTBLには、固有の識別情報であるUID毎に、器具情報、バトン番号、バトン設置位置情報及び設置位置情報が記憶されているので、操作者は、照明器具情報テーブルTBL自体を、操作卓２の表示部２ｄの画面上に表示させることができる。従って、操作者は、照明器具情報テーブルTBLを見ることによって、どのバトン３のどの位置に、どのような照明器具６が設置すなわち接続されているかを把握することができる。
【００４３】
図５は、操作卓２の表示部２ｄの画面上に表示される舞台上の照明器具配置を示す画面の例を示す図である。図５に示すような画面３１は、操作者が各照明器具６を制御するときに参照される。
【００４４】
図５に示す画面３１は、舞台２１の天井に吊り下げられた複数のバトン３のレイアウトを示している。画面３１には、各バトン３の図形が表示される。バトン３ａのバトン番号が＃１であり、バトン３ｂのバトン番号が＃２であり、バトン３ｃのバトン番号が＃３であることが示されている。他のバトン３も同様にバトン番号が付与されている。各バトン３の図形は、４つのコネクタ１０に対応する表示領域３２ａ、３２ｂ、３２ｃ、３２ｄを含んでいる。
【００４５】
さらに、操作者は、画面３１に表示されている複数のバトン３の中から、入力部２ｃの操作により、任意のバトン３の任意の照明器具６を選択することができ、選択されたバトン３あるいは照明器具６の制御状態を、照明器具情報テーブルTBLの情報に基づいて、画面３１上に表示させることができる。さらに、操作者は、選択されたバトン３あるいは照明器具６に対する制御信号あるいは調光信号を出力するように指示することもできる。
【００４６】
よって、図４の照明器具情報テーブルTBLに基づき、画面３１上の各バトン３の４つのコネクタ１０ａ、１０ｂ、１０ｃ、１０ｄに、照明器具６の器具情報を関連付けることによって、各照明器具６の制御状態の表示や、調光信号の出力指示を、画面上でも行うことが可能となる。
【００４７】
また、各照明器具６の調光器８は、調光信号を含む制御信号を受信すると、UID等に加え、アラーム情報も出力する。操作卓２は、アラーム情報が入力され、設置されている照明器具６に不具合が発生していることを検出した場合、不具合が発生している照明器具の位置や不具合情報（漏電等）を画面３１に表示する。
【００４８】
以上のように、上述した実施の形態によれば、操作卓２が各バトン３から各照明器具６の器具情報、設置位置情報などを自動で取得することができるので、上位装置である操作卓２において、各バトン３における照明器具の取り付け位置を容易に把握できる照明制御装置１を実現することができる。
【００４９】
なお、特に通信プロトコルは、本発明が意図する機能を果たすことができれば、他のプロトコルを使用することもできる。
【００５０】
各バトン３では、操作卓２からの制御信号とは無関係に、例えば、電源投入時に、または、周期的に、各照明器具６の識別情報（位置情報）を収集しておき、操作卓２からの制御信号に応じて、収集した識別情報（位置情報）を送信するようにしてもよい。
【００５１】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５２】
１…照明制御装置、２…操作卓、２ａ…制御部、２ｂ…記憶部、２ｃ…入力部、２ｄ…表示部、３…照明用バトン、４…ハブ、５…通信ライン、６…照明器具、７ａ〜７ｄ…通信端子、８…調光器、９…メモリ、９ａ，９ｂ…記憶部、１０ａ〜１０ｄ…コネクタ、１１…制御部、１２…通信部、１３…設置位置情報設定スイッチ、１４…メモリ、１５ａ〜１５ｄ…通信制御部、１６ａ〜１６ｄ…通信端子。
【図１】
2014216251.tif 000003
【図２】
2014216251.tif 000004
【図３】
2014216251.tif 000005
【図４】
2014216251.tif 000006
【図５】
2014216251.tif 000007